(57)【要約】      （修正有）【課題】ラビングムラ現象を改善するとともに、表示パネルの隙間の均一度を改善して表示領域のエッジムラの低減が可能な表示パネルを提供する。【解決手段】表示パネルは、第１基板１１、第１基板１１に対向して設置される第２基板、第１基板１１と第２基板との間に設置される表示媒体層、複数の第１スペーサＳ１、及び複数の第２スペーサＳ２を含む。第１基板１１は、表示領域ＡＡ、及び表示領域ＡＡに環装される非表示領域ＢＢを有する。複数の第１スペーサＳ１及び複数の第２スペーサＳ２は、それぞれ、第１基板１１と第２基板との間に、かつ非表示領域ＢＢに対応して設置される。これら第１スペーサＳ１及びこれら第２スペーサＳ２は、それぞれ、表示領域ＡＡの対向する両側に対応して位置するとともに第１方向Ｙに配列される。第１方向Ｙに直交する第２方向Ｘに沿ってこれら第１スペーサＳ１のうちの１つを通過する延伸線Ｌは、隣り合う２つの第２スペーサＳ２の間を通過する。【選択図】図１Ａ
0003192855.tif 000002
【実用新案登録請求の範囲】
【請求項１】
表示パネルであって、
表示領域と、前記表示領域に環装される非表示領域とを有する第１基板と、
前記第１基板に対向して設置される第２基板と、
前記第１基板と前記第２基板との間に設置される表示媒体層と、
それぞれ、前記第１基板と前記第２基板との間に、かつ前記非表示領域に対応して設置される複数の第１スペーサと複数の第２スペーサと、を含み、
前記複数の第１スペーサと前記複数の第２スペーサとは、前記表示領域の対向する両側に対応して位置するとともに、それぞれが第１方向に配列され、
前記第１方向に直交する第２方向に沿って１行の前記複数の第１スペーサを通過する延伸線は、隣り合う２つの第２スペーサの間を通過することを特徴とする表示パネル。
【請求項２】
前記第１基板または前記第２基板に設置され、前記非表示領域を覆う位置に対応するブラックマトリックス層をさらに含むことを特徴とする請求項１に記載の表示パネル。
【請求項３】
前記複数の第１スペーサまたは前記複数の第２スペーサは、前記第１方向に周期的に配列されることを特徴とする請求項１に記載の表示パネル。
【請求項４】
前記第１基板または前記第２基板に設置され、前記表示領域を覆う位置に対応するカラーフィルタ層をさらに含むことを特徴とする請求項１に記載の表示パネル。
【請求項５】
複数の画素を定義する複数の走査線及び複数のデータ線をさらに含み、
前記複数の画素は、前記第１方向及び前記第２方向からなるマトリックス状に配置されることを特徴とする請求項１に記載の表示パネル。
【請求項６】
前記第１方向は、前記複数のデータ線の延在方向と実質的に平行になり、
前記第２方向は、前記複数の走査線の延在方向と実質的に平行になることを特徴とする請求項５に記載の表示パネル。
【請求項７】
前記第１方向は、前記複数の走査線の延在方向と実質的に平行になり、
前記第２方向は、前記複数のデータ線の延在方向と実質的に平行になることを特徴とする請求項５に記載の表示パネル。
【請求項８】
前記複数の第１スペーサの前記第２方向における幅または前記複数の第２スペーサの前記第２方向における幅は、各前記複数の画素の前記第２方向における幅よりも狭いことを特徴とする請求項５に記載の表示パネル。
【請求項９】
前記第１基板と前記第２基板との間に、かつ前記第２方向に沿って隣り合う２つの画素の間に対応して設置される複数の第３スペーサをさらに含むことを特徴とする請求項５に記載の表示パネル。
【請求項１０】
表示パネルであって、
第１方向と平行になる対称軸を有する表示領域と、前記表示領域に環装される非表示領域とを有し、前記対称軸の対向する両側のそれぞれが第１側及び第２側である第１基板と、
前記第１基板に対向して設置される第２基板と、
前記第１基板と前記第２基板との間に設置される表示媒体層と、
複数の第１スペーサと複数の第２スペーサと、を含み、
前記複数の第１スペーサと前記複数の第２スペーサとは、それぞれ、前記第１基板と前記第２基板との間に、かつ前記非表示領域に対応して設置されるとともに、第１方向に配列され、
前記複数の第１スペーサは前記第１側に対応して設置され、前記複数の第２スペーサは前記第２側に対応して設置され、
前記第１側に対応する前記複数の第１スペーサが前記対称軸を中心にして前記第２側に正反射される場合、前記複数の第１スペーサの正反射された位置と前記複数の第２スペーサとは重ならないことを特徴とする表示パネル。
【請求項１１】
前記第１側に対応する前記複数の第１スペーサが前記対称軸を中心にして前記第２側に正反射される場合、複数の第１スペーサ正反射点が前記第２側に形成され、
隣り合う２つの第２スペーサの間の前記第１方向における距離は、そのうちの１つの第２スペーサからそれに隣り合う前記第１スペーサ正反射点までの前記第１方向における距離よりも長いことを特徴とする請求項１０に記載の表示パネル。
【請求項１２】
前記第１基板または前記第２基板に設置され、前記表示領域を覆う位置に対応するカラーフィルタ層をさらに含むことを特徴とする請求項１０に記載の表示パネル。
【請求項１３】
前記第１基板または前記第２基板に、かつ前記非表示領域に対応して設置されるブラックマトリックス層をさらに含むことを特徴とする請求項１０に記載の表示パネル。
【請求項１４】
前記複数の第１スペーサまたは前記複数の第２スペーサは、前記第１方向に周期的に配列されることを特徴とする請求項１０に記載の表示パネル。
【請求項１５】
複数の画素を定義する複数の走査線及び複数のデータ線をさらに含み、
前記複数の画素は、前記第１方向と前記第１方向に直交する第２方向とからなるマトリックス状に配置されることを特徴とする請求項１０に記載の表示パネル。
【請求項１６】
前記第１方向は、前記複数のデータ線の延在方向と実質的に平行になり、
前記第２方向は、前記複数の走査線の延在方向と実質的に平行になることを特徴とする請求項１５に記載の表示パネル。
【請求項１７】
前記複数の第１スペーサの前記第２方向における幅または前記複数の第２スペーサの前記第２方向における幅は、前記複数の画素の前記第２方向における幅よりも狭いことを特徴とする請求項１６に記載の表示パネル。
【請求項１８】
前記第１基板と前記第２基板との間に、かつ前記第２方向に沿って隣り合う２つの画素の間に対応して設置される第３スペーサをさらに含むことを特徴とする請求項１５に記載の表示パネル。
【考案の詳細な説明】
【技術分野】
【０００１】
本考案は、表示パネルに関し、特にレジストスペーサを有する表示パネルに関する。
【背景技術】
【０００２】
科学技術の進歩に伴い、フラットパネル表示装置は既に多くの分野で広く使用されている。特に、液晶表示装置または有機ＥＬ表示装置は、薄型、低消費電力、放射ゼロなどの優れた特性を有するため、従来のブラウン管表示装置の代わりに、例えば、携帯電話、携帯型マルチメディア機器、ノートパソコンやテレビなどの様々な電子製品に用いられている。
【０００３】
従来、主に液晶表示パネル（ＬＣＤ  ｐａｎｅｌ）及びバックライトモジュール（Ｂａｃｋｌｉｇｈｔ  Ｍｏｄｕｌｅ）を含み、両者を対向設置した液晶表示装置が周知されている。このような液晶表示装置において、液晶表示パネルは、主にカラーフィルタ基板、薄膜トランジスタ基板、及びこの両者の間に挟設された液晶層を備える。カラーフィルタ基板と薄膜トランジスタ基板は対向設置される。さらに、液晶表示装置は、カラーフィルタ基板と薄膜トランジスタ基板の間の隙間を維持するための複数のスペーサ（ｓｐａｃｅｒｓ）を有する。カラーフィルタ基板、薄膜トランジスタ基板及び液晶層により、マトリックス状に配置される複数の画素ユニットを形成することができる。また、バックライトモジュールから発された光線は、液晶表示パネルを透過し、液晶表示パネルの各画素ユニットを経由してカラー表示をさせ、これにより、画像が形成される。
【考案の概要】
【考案が解決しようとする課題】
【０００４】
従来の液晶表示パネルの広視野角技術では、液晶分子の傾倒方向を制御するために、ラビング（Ｒｕｂｂｉｎｇ）製造工程を用いてカラーフィルタ基板及び薄膜トランジスタ基板上に設置された配向層には一定の配列方向が生じる必要がある。しかしながら、ゴム（Ｒｕｂｂｅｒ）で往復に塗工する製造工程では、非表示領域の両側及びそのエッジに、スペーサ（Ｓｐａｃｅｒ）の整列によって、エッジでラビングの不均一性による暗パターン現象（即ち、Ｒｕｂｂｉｎｇ  ｍｕｒａ）が生じてしまう。
【０００５】
なお、非表示領域の両側のスペーサが対称に配列するため、スペーサに対応する、表示領域のエッジにおける２つの基板の隙間（Ｃｅｌｌ  ｇａｐ）に形成される明パターン（即ち、エッジｍｕｒａ）がより顕著になる。
【０００６】
そこで、ラビングムラ現象を改善できるほか、表示パネルの隙間の均一性を改善してエッジムラを低減させることが可能な表示パネルを提供することは、重要な課題となっている。
【０００７】
上記の課題を鑑み、本考案の目的は、ラビングムラ現象を改善するとともに、表示パネルの隙間の均一度を改善して表示領域のエッジムラを低減させることが可能な表示パネルを提供する。
【課題を解決するための手段】
【０００８】
上述した目的を達成するために、本考案に係る表示パネルは、第１基板、第２基板、表示媒体層、複数の第１スペーサ、及び複数の第２スペーサを含む。第１基板は、表示領域と、表示領域に環装される非表示領域とを有する。第２基板は、第１基板に対向して設置される。表示媒体層は、第１基板と第２基板との間に設置される。前記複数の第１スペーサと前記複数の第２スペーサとは、それぞれ、第１基板と第２基板との間に、かつ非表示領域に対応して設置される。しかも、前記複数の第１スペーサと前記複数の第２スペーサとは、表示領域の対向する両側に対応して位置するとともに、それぞれが第１方向に配列される。第１方向に直交する第２方向に沿って１行の前記複数の第１スペーサを通過する延伸線は、隣り合ういずれの２つの第２スペーサの間を通過する。
【０００９】
また、本考案に係る表示パネルは、第１基板、第２基板、表示媒体層、複数の第１スペーサ、及び複数の第２スペーサを含む。第１基板は、表示領域と、表示領域に環装される非表示領域とを有する。表示領域は、第１方向と平行になる対称軸を有する。対称軸の対向する両側のそれぞれは、第１側及び第２側である。第２基板は、第１基板に対向して設置される。表示媒体層は、第１基板と第２基板との間に設置される。前記複数の第１スペーサと前記複数の第２スペーサとは、それぞれ、第１基板と第２基板との間に、かつ非表示領域に対応して設置されるとともに、第１方向に配列される。前記複数の第１スペーサは第１側に対応して設置され、前記複数の第２スペーサは第２側に対応して設置される。第１側に対応する前記複数の第１スペーサが対称軸を中心にして第２側に正反射される場合、前記複数の第１スペーサの正反射された位置と前記複数の第２スペーサとは重ならない。
【００１０】
一実施形態では、表示パネルは、第１基板または第２基板に設置されるとともに、非表示領域を覆う位置に対応するブラックマトリックス層をさらに含む。
【００１１】
一実施形態では、表示パネルは、第１基板または第２基板に設置されるとともに、表示領域を覆う位置に対応するカラーフィルタ層をさらに含む。
【００１２】
一実施形態では、前記複数の第１スペーサまたは前記複数の第２スペーサは、第１方向に周期的に配列される。
【００１３】
一実施形態では、前記複数の第１スペーサまたは前記複数の第２スペーサは、第２方向に周期的に配列される。
【００１４】
一実施形態では、表示パネルは、複数の画素を定義する複数の走査線及び複数のデータ線をさらに含む。前記複数の画素は、第１方向及び第２方向からなるマトリックス状に配置される。
【００１５】
一実施形態では、第１方向は、前記複数のデータ線の延在方向と実質的に平行になり、第２方向は、前記複数の走査線の延在方向と実質的に平行になる。
【００１６】
一実施形態では、第１方向は、前記複数の走査線の延在方向と実質的に平行になり、第２方向は、前記複数のデータ線の延在方向と実質的に平行になる。
【００１７】
一実施形態では、前記複数の第１スペーサの前記第２方向における幅または前記複数の第２スペーサの第２方向における幅は、各前記複数の画素の第２方向における幅よりも狭い。
【００１８】
一実施形態では、延伸線は、隣り合う２つの画素の間を通過する。
【００１９】
一実施形態では、延伸線は、前記複数の画素を通過する。
【００２０】
一実施形態では、表示パネルは、第１基板と第２基板との間に、かつ第２方向に沿って隣り合う２つの画素の間に対応して設置される複数の第３スペーサをさらに含む。
【００２１】
一実施形態では、第１側に対応する前記複数の第１スペーサが対称軸を中心にして第２側に正反射される場合、複数の第１スペーサ正反射点が前記第２側に形成される。隣り合う２つの第２スペーサの間の第１方向における距離は、そのうちの１つの第２スペーサからそれに隣り合う第１スペーサ正反射点までの第１方向における距離よりも長い。
【００２２】
したがって、本考案に係る表示パネルでは、複数の第１スペーサ及び複数の第２スペーサは、非表示領域に対応して設置されて、表示領域の対向する両側に対応して位置することになる。また、延伸線は、第１方向に直交する第２方向に沿ってこれら第１スペーサのうちの１つを通過する場合、隣り合う２つの第２スペーサの間を通過する。または、表示領域は第１方向と平行になる対称軸を有し、複数の第１スペーサと複数の第２スペーサとは、対称軸の第１側と第２側とに対応して設置され、第１側に対応するこれら第１スペーサが対称軸を中心にして第２側に正反射される場合、上記複数の第１スペーサの正反射された位置と上記複数の第２スペーサとは重ならない。
【考案の効果】
【００２３】
本考案に係る表示パネルは、非表示領域の両側に対応するスペーサが位置をずらして設置されるため、従来技術に比べて、表示領域のエッジでの輝度の不均一による明暗縞現象（Ｒｕｂｂｉｎｇ  ｍｕｒａの改善）を改善することができるほか、表示パネルの隙間の均一性を改善して明暗縞現象（エッジムラの改善）を低減することができる。
【図面の簡単な説明】
【００２４】
【図１Ａ】本考案の好適な実施形態に係る表示パネルを示す図である。
【図１Ｂ】図１Ａの表示パネルを直線Ａ−Ａに沿って切断した断面図である。
【図１Ｃ】本考案の他の好適な実施形態に係る表示パネルを示す図である。
【図２Ａ】本考案の好適な実施形態の異なる実施例に係る表示パネルを示す図である。
【図２Ｂ】本考案の好適な実施形態の異なる実施例に係る表示パネルを示す図である。
【図２Ｃ】本考案の好適な実施形態の異なる実施例に係る表示パネルを示す図である。
【図２Ｄ】本考案の好適な実施形態の異なる実施例に係る表示パネルを示す図である。
【図２Ｅ】本考案の好適な実施形態の異なる実施例に係る表示パネルを示す図である。
【図２Ｆ】本考案の好適な実施形態の異なる実施例に係る表示パネルを示す図である。
【図３】本考案の別の好適な実施形態に係る表示パネルを示す図である。
【考案を実施するための形態】
【００２５】
以下、添付図面を参照しながら、本考案の好適な実施形態について詳細に説明する。なお、図面の説明において、同一要素には同一の符号を付与する。
【００２６】
まず、図１Ａ及び図１Ｂを参照しながら説明する。図１Ａは、本考案の好適な実施形態に係る表示パネル１を示す図である。図１Ｂは、図１Ａの表示パネル１を直線Ａ−Ａに沿って切断した断面図である。
【００２７】
表示パネル１は、液晶表示パネルまたは有機ＥＬ表示パネルであってもよい。ここでは、液晶表示パネルを例として説明する。また、説明の便宜上、図１Ａでは、表示パネル１の第１基板１１、表示領域ＡＡ、非表示領域ＢＢ、複数の画素Ｐ、複数の第１スペーサＳ１、複数の第２スペーサＳ２及び複数の第３スペーサＳ３の配置のみが示されているが、表示パネル１の他の部材が示されていない。なお、図１Ａ及び図１Ｂでは、第１方向（図１Ａの垂直方向）、第２方向Ｘ（図１Ａの水平方向）及び第３方向Ｚが示されている。第１方向Ｙ、第２方向Ｘ及び第３方向Ｚは、各一対が実質的に互いに直交するようになっている。
【００２８】
表示パネル１は、第１基板１１、第２基板１２及び表示媒体層１３を含む。第１基板１１は、第２基板に対向して設置される。表示媒体層１３は、第１基板１１と第２基板１２との間に設置される。第１基板１１は、表示領域ＡＡ（Ａｃｔｉｖｅ  ａｒｅａ）と、表示領域ＡＡに環装される非表示領域ＢＢとを有する。ここで、表示領域ＡＡとは、光線が第１基板１１を透過可能な領域である。第１基板１１及び第２基板１２は、透光材、例えば、ガラス基板、石英基板またはプラスチック基板から製造されるが、これに限定されない。
【００２９】
本実施形態の表示媒体層１３は液晶層であって、複数の液晶分子（図示せず）を有する。また、本実施形態に係る表示パネル１は、第２基板１２に設置される薄膜トランジスタ層（図示せず）をさらに含む。しかしながら、他の実施形態では、表示パネル１が有機ＥＬ表示パネルの場合、表示媒体層１３は有機発光層であってもよい。その場合、外部の水分又は異物に起因した有機発光層の汚染を抑制するように、第１基板１１は保護カバープレート（Ｃｏｖｅｒ  ｐｌａｔｅ）であってもよい。
【００３０】
表示パネル１は、複数の走査線（図示せず）及び複数のデータ線（図示せず）をさらに含んでもよい。これら走査線及びこれらデータ線は、複数の画素Ｐを定義することができる。これら画素Ｐは、第１基板１１と第２基板１２との間に挟設される。図１Ａに示すように、これら画素Ｐは、第１方向Ｙ及び第２方向Ｘからなるマトリックス状に配置されてもよい。本実施形態において、第１方向Ｙは、上記複数のデータ線の延在方向と実質的に平行になり、第２方向Ｘは、上記複数の走査線の延在方向と実質的に平行になり、第３方向Ｚは、第１方向Ｙ及び第２方向Ｘのそれぞれに直交する方向である。
【００３１】
また、表示パネル１は、ブラックマトリックス層ＢＭ及びフィルタ層１４をさらに含む。ブラックマトリックス層ＢＭは、第１基板１１または第２基板１２上に設置され、かつ非表示領域ＢＢを覆う位置に対応して設置される遮光区画Ｚ１を有する。なお、本実施形態のフィルタ層１４は、第１基板１１の第２基板１２に対向する一方側、または第２基板１２に設置される。しかも、フィルタ層１４は、表示領域ＡＡを覆う位置に対応して設置される。ブラックマトリックス層ＢＭは非透光材であるため、第１基板１１上に非透光領域（即ち、非表示領域ＢＢ）が形成されることができ、さらに透光領域（即ち、表示領域ＡＡ）が区画される。また、ブラックマトリックス層ＢＭは、複数の遮光区画Ｚ２をさらに含んでもよい。１つの画素Ｐは、１つのフィルタ部に対応する。隣り合う２つのフィルタ部の間（即ち、フィルタ部Ｒとフィルタ部Ｇとの間、フィルタ部Ｇとフィルタ部Ｂとの間、及びフィルタ部Ｂとフィルタ部Ｒとの間）には、遮光区画Ｚ２が設けられてもよい。本実施形態のブラックマトリックス層ＢＭ及びフィルタ層１４（複数のフィルタ部Ｒ、Ｇ、Ｂを有する）のそれぞれは、第１基板１１に設置される。しかし、他の実施形態において、ブラックマトリックスＢＭまたはフィルタ層１４は、第２基板１２に設置されて、ブラックマトリックスオンアレイ（ＢＭ  ｏｎ  ａｒｒａｙ，ＢＯＡ）基板またはカラーフィルタオンアレイ（ｃｏｌｏｒ  ｆｉｌｔｅｒ  ｏｎ  ａｒｒａｙ，ＣＯＡ）基板になってもよいが、これに限定されない。
【００３２】
さらに、表示パネル１は、ブラックマトリックス層ＢＭ及びフィルタ部Ｒ、Ｇ、Ｂを覆う可能な保護層（例えば、ｏｖｅｒ−ｃｏａｔｉｎｇ，図示せず）を含んでもよい。ブラックマトリックス層ＢＭ及びフィルタ部Ｒ、Ｇ、Ｂがその後の製造工程の影響によって破壊されることを防止するために、保護層の材料としては、レジスタ材料、樹脂材料または無機材料（例えば、ＳｉＯｘ／ＳｉＮｘ）などを用いてもよい。
【００３３】
そこで、本実施形態では、表示パネル１の上記複数の走査線が走査信号を受信した場合、各走査線に対応する薄膜トランジスタのそれぞれをオンにさせるとともに、上記複数のデータ線によって各列の画素に対応するデータ信号を、これら画素Ｐに対応する画素電極に送信して、表示パネル１に画面を表示させることが可能である。
【００３４】
また、表示パネル１は、複数の第１スペーサＳ１及び複数の第２スペーサＳ２をさらに含んでもよい。これら第１スペーサＳ１及びこれら第２スペーサＳ２のそれぞれは、第１基板１１と第２基板１２との間に、かつ非表示領域ＢＢに対応して設置される。とりわけ、本考案の第１スペーサＳ１及び第２スペーサＳ２は、非表示領域ＢＢに対応して設置されるものの、フィルタ層１４の位置に対応しない。言い換えれば、第３方向Ｚから第１基板１１の平面視において、表示領域ＡＡの周囲にフィルタ部Ｒ、Ｇ、Ｂの一部がブラックマトリックス層ＢＭによって遮蔽されると、ブラックマトリックス層ＢＭによって遮蔽されるフィルタ部Ｒ、Ｇ、Ｂの対応する位置に、第１方向Ｙに設置されるスペーサが存在する場合があるものの、これらスペーサは、本考案の上記第１スペーサＳ１または第２スペーサＳ２ではない。
【００３５】
本実施形態の上記複数の第１スペーサＳ１及び上記複数の第２スペーサＳ２とは、非表示領域ＢＢに対応して設置されるスペーサのうちの、第２方向Ｘに沿って表示領域ＡＡに最も接近するエッジのスペーサである。これら第１スペーサＳ１は、表示領域ＡＡの左側に対応して位置し、これら第２スペーサＳ２は、表示領域ＡＡの右側に対応して位置する。また、表示パネル１は、複数の第３スペーサＳ３をさらに含んでもよい。これら第３スペーサＳ３は、第１基板１１と第２基板１２との間に、かつ第２方向Ｘに沿って隣り合う２つの画素Ｐの間に対応して設置される。そのため、第３スペーサＳ３は、表示領域ＡＡ内に対応して位置するものである。第１スペーサＳ１、第２スペーサＳ２及び第３スペーサＳ３は、第１基板１１と第２基板１２との間の隙間を維持して、表示媒体層１３（例えば、液晶層の液晶分子）が当該隙間に充填されて２つの基板の間に挟設されることができる。
【００３６】
なお、本実施形態の上記複数の第１スペーサＳ１及び上記複数の第２スペーサＳ２のそれぞれは、第１方向Ｙに周期的に配列されるとともに、第２方向Ｘにも周期的に配列される。しかし、他の実施形態において、第１スペーサＳ１または第２スペーサＳ２は、第１方向Ｙまたは第２方向Ｘに周期的に配列されなくてもよい。また、各第１スペーサＳ１または各第２スペーサＳ２の第２方向Ｘにおける幅は、１つの画素Ｐの第２方向Ｘにおける幅よりも狭い。
【００３７】
延伸線Ｌは、第２方向Ｘに沿って１行の上記複数の第１スペーサＳ１を通過する場合、２行の第２スペーサＳ２の間を通過する。本実施形態では、図１Ａに示すように、延伸線Ｌは、上記複数の第１スペーサＳ１及び一行の画素Ｐの全体を通過した後、上記複数の第２スペーサＳ２のいずれを通過しない。このように、これら第１スペーサＳ１及びこれら第２スペーサＳ２は、第２方向Ｘに位置をずらして設けられる（同じ延伸線Ｌ上にない）。
【００３８】
図１Ｃは、表示パネル１の他の形態を示す図である。第１基板１１の表示領域ＡＡには、第１方向Ｙと平行になる対称軸ＡＳを有してもよい。しかも、対称軸ＡＳの両側のそれぞれは、第１側Ａ１及び第２側Ａ２と定義される。ここで、対称軸とは、表示領域ＡＡにおいて、対称軸ＡＳの両側に対応して位置する上記複数の画素Ｐが完全に左右対称（即ち、対称軸ＡＳの両側のそれぞれの画素Ｐは、数が同じで左右対称になる）になることを表す。上記複数の第１スペーサＳ１及び上記複数の第２スペーサＳ２は、非表示領域ＢＢに対応して設置される。ここで、これら第１スペーサＳ１は第１側Ａ１に対応して設置され、これら第２スペーサＳ２は第２側Ａ２に対応して設置される。しかも、上記複数の第１スペーサＳ１は、上記複数の第２スペーサＳ２と同様に、第１方向Ｙに周期的に配列される。このように、第１側Ａ１に対応するこれら第１スペーサＳ１が対称軸ＡＳを中心にして第２側Ａ２に正反射されると、これら第１スペーサＳ１及びこれら第２スペーサＳ２は位置をずらして設置されるため、第２スペーサＳ２が第１スベーサＳ１の正反射された位置と重ならない。また、延伸線Ｌは、第１方向Ｙに直交する第２方向Ｘに沿って１行のこれら第１スペーサＳ１を通過する場合、２行のこれら第２スペーサＳ２の間を通過する。なお、第１側Ａ１に対応するこれら第１スペーサＳ１が対称軸ＡＳを中心にして第２側Ａ２に正反射されると、図１Ｃに示すように、複数の第１スペーサ正反射点（Ｓ１で示される）が形成される。隣り合う２つの第２スペーサＳ２の第１方向Ｙにおける距離Ｄ１は、そのうちの１つの第２スペーサＳ２からそれに隣り合う第１スペーサ正反射点Ｓ１までの第１方向Ｙにおける距離Ｄ２よりも長い（即ち、Ｄ１＞Ｄ２）。なお、図１Ｃに示す表示パネル１の他の技術的特徴は、図１Ａ及び図１Ｂの説明を参照すればよいため、その詳細について説明を省略する。
【００３９】
また、図２Ａ乃至図２Ｆは、それぞれ、本考案の好適な実施形態の異なる実施例に係る表示パネル１ａ〜１ｆを示す図である。
【００４０】
図２Ａの表示パネル１ａは、主に、第２方向Ｘに延びる延伸線Ｌが上記複数の第１スペーサＳ１、隣り合う２行の画素Ｐの間（隣り合う２行の画素Ｐの間がブラックマトリックス層ＢＭの遮光区画Ｚ２によって遮蔽される）、及び隣り合う２行の第２スペーサＳ２の間を通過する点で図１Ａの表示パネル１と異なる。なお、表示パネル１ａの他の技術的特徴は、表示パネル１の同一部材を参照すればよいため、その詳細について説明を省略する。
【００４１】
また、図２Ｂの表示パネル１ｂは、主に、表示パネル１ｂの第１スペーサＳ１の分布密度が表示パネル１ａの第１スペーサＳ１の分布密度の２倍、表示パネル１ｂの第２スペーサＳ２の分布密度が表示パネル１の第２スペーサＳ２の分布密度の２倍である点で表示パネル１、１ａと異なる。しかし、異なる実施例においては、第１スペーサＳ１の分布密度のみを表示パネル１ａの第１スペーサＳ１の分布密度の２倍にしてもよいし、または第２スペーサＳ２の分布密度のみを表示パネル１の第２スペーサＳ２の分布密度の２倍にしてもよい。さらに、その倍数は２倍に限定されない。なお、表示パネル１ｂの他の技術的特徴は、表示パネル１、１ａの同一部材を参照すればよいため、その詳細について説明を省略する。
【００４２】
また、図２Ｃの表示パネル１ｃは、主に、表示パネル１ｃの第１スペーサＳ１の第１方向Ｙにおける分布密度が、表示パネル１ｂの同じ列の第１スペーサＳ１の第１方向Ｙにおける分布密度の０．５倍で、表示パネル１ｃの第２スペーサＳ２の第１方向Ｙにおける分布密度が、表示パネル１ｂの同じ列の第２スペーサＳ２の第１方向Ｙにおける分布密度の０．５倍である点で図２Ｂの表示パネル１ｂと異なる。さらに、隣り合う列の第１スペーサＳ１は、第１方向Ｙに位置をずらして設置され、隣り合う列の第２スペーサＳ２は、第１方向Ｙに位置をずらして設置される。なお、表示パネル１ｃの他の技術的特徴は、表示パネル１ｂの同一部材を参照すればよいため、その詳細について説明を省略する。
【００４３】
また、図２Ｄの表示パネル１ｄは、主に、第３方向Ｚに表示パネル１ｄのフィルタ層１４の一部（外側周縁）がブラックマトリックス層ＢＭの遮光区画Ｚ１によって遮蔽されるため、非表示領域ＢＢが遮光区画Ｚ１によって部分的に遮蔽されるフィルタ層１４を含む一方、表示領域ＡＡがフィルタ層１４の、遮光区画Ｚ１によって遮蔽されない領域である点で図２ｃの表示パネル１ｃと異なる。なお、表示パネル１ｄの他の技術的特徴は、表示パネル１ｃの同一部材を参照すればよいため、その詳細について説明を省略する。
【００４４】
また、図２Ｅの表示パネル１ｅは、主に、表示パネル１ｅの１つの画素Ｐの第１方向Ｙにおける幅で２つの第１スペーサＳ１または２つの第２スペーサＳ２を有し、第１スペーサＳ１及び第２スペーサが第１方向Ｙに位置をずらして設置される点で図１Ａの表示パネル１と異なる。なお、表示パネル１ｅの他の技術的特徴は、表示パネル１の同一部材を参照すればよいため、その詳細について説明を省略する。
【００４５】
また、図２Ｆの表示パネル１ｆは、主に、第１方向Ｙが上記複数の走査線の延在方向と実質的に平行になり、第２方向Ｘが上記複数のデータ線の延在方向と実質的に平行になる点で図１Ａの表示パネル１と異なる。言い換えれば、本実施形態の上記複数の第１スペーサＳ１及び上記複数の第２スペーサＳ２は、表示パネル１ｆの上下両側に対応して位置し、延伸線Ｌは上から下へ第２方向Ｘに沿って、これら第１スペーサＳ１、及び２列の第２スペーサＳ２の間を通過する。なお、表示パネル１ｆの他の技術的特徴は、表示パネル１の同一部材を参照すればよいため、その詳細について説明を省略する。
【００４６】
上記の全ての実施形態では、第１スペーサＳ１及び第２スペーサＳ２の数量、分布密度や配列方式が一例に過ぎず、本考案を限定するものではないは、注目すべきことである。
【００４７】
図３は、本考案の別の好適な実施形態に係る表示装置２を示す図である。
【００４８】
表示装置２は、表示パネル３と、表示パネル３に対向して設置されるバックライトモジュール４（Ｂａｃｋｌｉｇｈｔ  Ｍｏｄｕｌｅ）とを含む。表示装置２は、液晶表示装置である。表示パネル３は、上記表示パネル１、１ａ〜１ｆのうちの１つであって、その技術的特徴の詳細について、説明を省略する。バックライトモジュール４から発された光線Ｅは、表示パネル３を透過する場合、表示パネル３の各画素によりカラーを表示して画像を形成することができる。
【００４９】
以上により、本考案に係る表示パネルでは、複数の第１スペーサ及び複数の第２スペーサは、非表示領域に対応して設置されて、表示領域の対向する両側に対応して位置することになる。また、延伸線は、第１方向に直交する第２方向に沿って１行のこれら第１スペーサを通過する場合、隣り合う２行の第２スペーサの間を通過する。または、表示領域は第１方向と平行になる対称軸を有し、複数の第１スペーサと複数の第２スペーサとは、対称軸の第１側と第２側とに対応して設置され、第１側に対応するこれら第１スペーサが対称軸を中心にして第２側に正反射される場合、上記複数の第１スペーサと上記複数の第２スペーサとは位置をずらして設置されるため、第２スペーサが第１スペーサの正反射された位置と重なられない。このように、本考案に係る表示パネルは、非表示領域の両側に対応するスペーサが位置をずらして設置されるため、従来技術に比べて、表示領域のエッジでの輝度の不均一による明暗縞現象（Ｒｕｂｂｉｎｇ  ｍｕｒａの改善）を改善することができるほか、表示パネルの隙間の均一性を改善して明暗縞現象（エッジｍｕｒａの改善）を低減することができる。
【００５０】
本考案の好適な実施形態を前述の通り開示したが、これらは決して本考案を限定するものではない。本考案の明細書および図面による各種の変動および修正は、本考案の保護を求める範囲内に属するものである。
【符号の説明】
【００５１】
１、１ａ〜１ｆ、３   表示パネル
１１                 第１基板
１２                 第２基板
１３                 表示媒体層
１４                 フィルタ層
２                   表示装置
４                   バックライトモジュール
Ａ１                 第１側
Ａ２                 第２側
ＡＡ                 表示領域
ＡＳ                 対称軸
Ａ−Ａ               直線
Ｂ、Ｇ、Ｒ           フィルタ部
ＢＢ                 非表示領域
ＢＭ                 ブラックマトリックス層
Ｄ１、Ｄ２           距離
Ｅ                   光線
Ｌ                   延伸線
Ｐ                   画素
Ｓ１                 第１スペーサ
Ｓ２                 第２スペーサ
Ｓ３                 第３スペーサ
Ｘ                   第２方向
Ｙ                   第１方向
Ｚ                   第３方向
Ｚ１、Ｚ２           遮光区画
【図１Ａ】
0003192855.tif 000003
【図１Ｂ】
0003192855.tif 000004
【図１Ｃ】
0003192855.tif 000005
【図２Ａ】
0003192855.tif 000006
【図２Ｂ】
0003192855.tif 000007
【図２Ｃ】
0003192855.tif 000008
【図２Ｄ】
0003192855.tif 000009
【図２Ｅ】
0003192855.tif 000010
【図２Ｆ】
0003192855.tif 000011
【図３】
0003192855.tif 000012